(57)【要約】      （修正有）【課題】様々な使用者や使用状況に対応し、かつ、使用時における持ち手の中での安定性を確保しながら、反復性と操作性に優れた段階式の刃間調節爪切り具を提供する。【解決手段】支軸５の下端部において、上面が下板の下面に固着されてかつ下面が螺旋面に形成される肉厚円筒形状のつまみ受部と、該つまみ受部の下方において前記螺旋面における中心径の位置に対向するよう上方に突設される突起を有して前記支軸に回動自在に支承されるつまみ９とを具え、前記つまみ９の回動に伴って、前記突起の先端が前記螺旋面上を摺動することにより、前記つまみ受部と前記つまみ９との相対距離が変位して初期刃間距離が調整され、さらに前記螺旋面における中心径の位置には複数の凹孔が形成され、前記突起の先端が前記凹孔に対向する際には、前記突起の先端が前記凹孔にかみ込んで、前記つまみ９が前記つまみ受部に対して係止されるようにした。【選択図】図１
2019068979.tif 000002
【特許請求の範囲】
【請求項１】
２枚の長板からなってかつ互いに上下に対向して配置されて二又形状になるようにそれぞれの後端部を接合された上板および下板と、
該上板および下板の前端部近傍に設けた開口部を貫通する支軸と、
該支軸の上端部近傍において搖動可能に枢結される操作ハンドルと、
上面が前記下板の下面に固着されるつまみ受部と、
該つまみ受部の下方に対向するつまみと、を具え、
前記上板の前端部を下方向に屈曲してその先端を鋭利状に形成した上刃と、前記下板の前端部を上方向に屈曲してその先端を鋭利状に形成した下刃とが、前記操作ハンドルの搖動によって閉塞および拡開し、
前記つまみ受部と前記つまみとの相対距離を変位させることにより、初期刃間距離を調節する刃間調節爪切り具において、
前記つまみ受部は、
肉厚円筒形状であって、
前記支軸と同軸を有して該支軸が貫通され、
下面が螺旋面に形成され、
該螺旋面における中心径の位置には複数の凹孔が形成されて、
前記つまみは、
前記螺旋面における中心径の位置に対向するよう上方に突設される突起を有し、
前記支軸と同軸を有して該支軸が貫通され、
前記支軸の下端において回動自在に支承され、
前記つまみの回動に伴って、前記突起の先端が前記螺旋面上を摺動して、前記つまみ受部と前記つまみとの相対距離が変位し、
前記突起の先端が前記凹孔に対向する際には、前記突起の先端が前記凹孔にかみ込んで、前記つまみが前記つまみ受部に対して係止されることを特徴とする刃間調節爪切り具。
【発明の詳細な説明】
【技術分野】
【０００１】
本発明は、手および足の爪を切る爪切り具に関し、特に初期刃間距離を段階的に調節する機能を有する刃間調節爪切り具に関する。
【背景技術】
【０００２】
従来の一般的な爪切り具は、二枚の金属の長板を上下に対向させてかつ二又形状になるよう後端部を接合してなる上板および下板と、各板の前端部近傍に設けた開口部のそれぞれに貫通して、各板に対して回動可能かつ下側版に対して抜け止めを施された支軸と、支軸の上端部において支軸の直径方向を回動軸として回動可能に軸支された操作ハンドルとから主に構成される。
【０００３】
そして、各板の前端部はその先端が対向するように略Ｌ字形状に屈曲させて、さらに該先端を鋭利状にしてそれぞれ上刃および下刃を形成し、これら上刃と下刃との間には指の爪の先端部が挿入される間隙を設けている。
【０００４】
また、操作ハンドルは、さらに前端部の一方の面に突出した支点用凸部を具え、該支点用凸部を上板上面の前端部の一部に当接させて押圧操作することにより、支点を介してテコの作用で一対の弾の前端部を弾性的に閉塞させ、上刃および下刃が爪を押し切るようにしている。したがって、上板と下板との少なくとも一方は弾性を有する。
【０００５】
なお、切られた爪屑の飛散を防止するために、上板および下板の側面に飛散防止用のカバーを取り付けるようにしたものもある。
【０００６】
このような構成において、手や足の爪を切る際には、上刃と下刃との間隙に指の爪の先端を挿入した状態で、操作ハンドル後端を上板側に押し下げることによって、爪の先端が上刃と下刃とに挟まれ切断される。
【０００７】
この際、切ろうとする爪の深さを目視で確認しながら位置決めをして使用するが、足の爪を切る際や、高齢者および子供等の介助等、他者の爪を切る際には、切断位置の確認が困難であり、さらに、操作ハンドルを押し下げるまでの間に手元が狂って切断位置がずれ、深爪したり肉部を損傷したりする虞があった。
【０００８】
このような問題に鑑みて、指先の肉部を刃間内に侵入させるのを防ぐため、上刃と下刃の間の間隙である初期刃間距離を、使用者の爪のサイズに合わせて適宜調節することを可能にした爪切り具が開発されている。
【０００９】
例えば、支軸の外周面と、下板の開口部の内周面とにそれぞれねじ山を形成してこれらを螺合させ、操作ハンドルで支軸を回動させることによって、上刃と下刃との間隔を調整する爪切り具が開示されている（特許文献１：登録実用新案第３１６１９７３号公報）。
【００１０】
また、支軸の外周面にねじ山を形成し、下板の下面側にナットを設けて支軸と螺合させ、ナットを螺送することによって下板に対して支軸を変位させて、上刃と下刃との間隔を調整する爪切り具が開示されている（特許文献２：実開平２−１３８６０９号公報）。
【００１１】
上記のような爪切り具は、ねじの螺送によるものであるため、無段階の微調節が可能であるという利点がある一方、介護者が複数の被介護者の爪を切る等、被介護者に合わせてその都度刃間の調節を行う場合は、反復性に欠けるため、非能率的であった。
【００１２】
これらに対し、本出願人は、支軸と同軸を有して下板の下面に固着するつまみ受部と、該つまみ受部に上下方向に対向するつまみとを具え、つまみ受部の下面に形成した螺旋状階段の踏み面と、つまみに形成した上方に突出する突起部とが当接するようにした爪切り具を開示している（特許文献３：登録実用新案第３２０５０５３号公報、第３の実施形態）。
【００１３】
この爪切り具は、支軸に対してつまみの軸方向の移動を規制しており、つまみを回動させることによって、突起部が螺旋状階段を昇降してつまみ受部および下板に対してつまみと共に支軸と上板とが上下方向に変位して、上刃と下刃との間隔を調整する。そして、刃間距離を段階的に調節するため、使用者や被介護人ごとに任意の段数を記録しておくことによって、反復性を向上させることが可能である。
【００１４】
しかしながら、上記の爪切り具は、特に螺旋状階段の辺を丸く加工して突起部が螺旋状階段を昇り易いように形成する場合は、螺旋状階段の各踏み面の境界部から突起部が予期せず脱落する虞がある。これを防止するために、上板および／または下板の弾性係数を増加させると、つまみを回動させる際や操作ハンドルを押し下げる際に大きな力を要するため、操作性に支障が出るばかりか、さらに、突起部と各踏み面との間の摩擦力が増加して各部品の摩耗を促進させる虞がある。
【先行技術文献】
【特許文献】
【００１５】
【特許文献１】登録実用新案第３１６１９７３号公報
【特許文献２】実開平２−１３８６０９号公報
【特許文献３】登録実用新案第３２０５０５３号公報
【発明の概要】
【発明が解決しようとする課題】
【００１６】
そこで、本発明は、上述した事情に鑑み、様々な使用者や使用状況に対応し、かつ、使用時における持ち手の中での安定性を確保しながら、反復性と操作性に優れた段階式の刃間調節爪切り具を提供することを目的とする。
【課題を解決するための手段】
【００１７】
上述した課題を解決するために、本発明の刃間調節爪切り具は、支軸の下端部において、上面が下板の下面に固着されてかつ下面が螺旋面に形成される肉厚円筒形状のつまみ受部と、該つまみ受部の下方において前記螺旋面における中心径の位置に対向するよう上方に突設される突起を有して前記支軸に回動自在に支承されるつまみとを具え、前記つまみの回動に伴って、前記突起の先端が前記螺旋面上を摺動することにより、前記つまみ受部と前記つまみとの相対距離が変位して初期刃間距離が調整され、さらに前記螺旋面における中心径の位置には複数の凹孔が形成され、前記突起の先端が前記凹孔に対向する際には、前記突起の先端が前記凹孔にかみ込んで、前記つまみが前記つまみ受部に対して係止されるようにしている。
【発明の効果】
【００１８】
このように、初期刃間距離、すなわち上板と下板との支軸上の距離を変位させることを、つまみを回動に伴ってつまみ受部とつまみとの相対距離を変位させることにより成しており、この際、つまみに形成した突起がつまみ受部に形成した螺旋面上を摺動するようにしてたので、特許文献３の第３の実施形態のような螺旋階段を昇降させるのに比べ、格段につまみ操作の滑らかさは向上している。
【００１９】
さらに、螺旋面に複数の凹孔を設けて、段階的に突起をかみ込ませるようにしたので、各凹孔に係止される各位置が認識できるようつまみの外装に目盛り等を設ければ、使用者や使用部位に応じた最良の位置を記録しておくことによって、繰り返し使用する際に迅速に最良の刃間距離に調節することが可能である。
【図面の簡単な説明】
【００２０】
【図１】本発明に係る刃間調節爪切り具の実施形態を示す、（ａ）平面図、（ｂ）右側面図、（ｃ）底面図、である。
【図２】本発明に係る刃間調節爪切り具の実施形態において、（ａ）刃間距離の最大時、（ｂ）刃間距離の最小時、を示す縦断面図である。
【図３】本発明に係る刃間調節爪切り具の実施形態において、要部の断面を示す、（ａ）組立図、（ｂ）分解図、である。
【図４】本発明に係る刃間調節爪切り具の実施形態における、つまみ受部の、（ａ）平面図、（ｂ）側面図、（ｃ）底面図、（ｄ）中心径における展開断面図、である。
【図５】本発明に係る刃間調節爪切り具の実施形態における、つまみの、（ａ）平面図、（ｂ）片側断面図、（ｃ）底面図、（ｄ）片側断面図、である。
【発明を実施するための形態】
【００２１】
以下、添付図面を参照して本発明の好適な実施の形態を詳細に説明する。なお、下記実施例は、本発明の好適な実施の形態を示したものに過ぎず、本発明の技術的範囲は、下記実施例そのものに何ら限定されるものではない。
【００２２】
図１および図２に示す刃間調節爪切り具１は、前端に上刃２１を形成する上板２と、前端に下刃３１を形成する下板３と、持ち手カバー４と、支軸５と、操作ハンドル６と、ピン７と、つまみ受部８と、つまみ９とから主に構成される。
【００２３】
上板２および下板３は、それぞれ弾性を有した金属の長板であって、上下に対向して配置され、二又形状になるようにそれぞれの後端部を接合して、上板２および下板３の弾性によってこれらの前端部が常時開放方向に付勢されるよう構成される。
【００２４】
上板２は、その前端部において下方向に屈曲し、その先端を鋭利状にして上刃２１を形成している。同様に、下板３は、その前端部において上方向に屈曲し、その先端を鋭利状にして下刃３１を形成して、上刃２１との間に指の爪の先端部が挿入される間隙を設けている。
【００２５】
上板２および下板３の前端部近傍に設けたそれぞれの開口部（符号を付与せず）には、略円柱形状の支軸５が貫通して設けられる。
【００２６】
支軸５は、上板２および下板３に対して軸方向に摺動可能かつ軸周りに回動可能であるように設けられるとともに、その下端には、後述するつまみ９を支承し、つまみ９から軸部５が上方に抜けないようにする鍔部５１を形成している。
【００２７】
支軸５の上端部近傍には、支軸５の直径方向を回動軸とするピン７が軸支され、さらに、ピン７を介して操作ハンドル６が支軸５に対して搖動可能に枢結される。
【００２８】
操作ハンドル６は、その前端部の一方の面に突出した支点用凸部６１を形成し、支点用凸部６１を上板２上面の前端部の一部に当接させて下方に押圧操作することにより、支点を介してテコの作用で上板２を支軸５に沿って下方に押し下げるようにしている。
【００２９】
さらに、操作ハンドル６の先端側には引掛孔６２を形成して、操作ハンドル６の後端を前方に傾倒した状態で、壁に設けたフック具等に引っ掛けて収納できるようにしている。
【００３０】
なお、特許文献３（登録実用新案第３２０５０５３号公報）の爪切り具のように、操作ハンドル６の支点用凸部６１を上面側にした状態で、操作ハンドル６の後端を上板２に押し下げることによって、操作ハンドル６を上板２に沿わせて収納するように構成することも可能である。
【００３１】
図３に示すように、下板３前端部近傍の下面には、支軸５と同軸を有する肉厚円筒形状のつまみ受部８が固着し、さらに、つまみ受部８の下方および側方を覆うよう、下端が略閉塞した略円筒形状のつまみ９が配設される。この際、つまみ９の内径は、つまみ受部８の外径よりも若干大きく形成して、つまみ受部８に対してつまみ９が回動自在であるようにしている。
【００３２】
つまみ受部８およびつまみ９は、これらの中心に貫通孔８１，９１を有する（図４および図５等参照）。そして、下板３の前端部近傍設けた開口部（符号を付与せず）と、該貫通孔８１，９１とに支軸５が貫設されて、鍔部５１によって、つまみ９を支承するとともに、つまみ受部８およびつまみ９が、鍔部５１と下板３とに圧接されることよって互いに圧着するようにしている。
【００３３】
図４に示すように、つまみ受部８は、中心に支軸５が挿通する貫通孔８１を有する略肉厚円筒形状に形成される。
【００３４】
つまみ受部８の上面は、下板３の下面に接合するよう平面形状に形成しており、例えば、つまみ受部８と下板３とにそれぞれ把持爪とこれを嵌合させる孔等を設ける等によって互いに固着するようにしている。
【００３５】
つまみ受部８の下面は、常螺旋面８２を形成しており、常螺旋面８２における中心径（図４（ｃ）における一点鎖線によって示す）の位置には、後述するつまみ９の係止突起９２の先端が係合する９つの係止凹孔８３ａ〜８３ｉを等間隔に凹設している。
【００３６】
さらに、常螺旋面８２における最下部と最上部との境界部近傍において、係止凹孔８３ａ〜８３ｉのうち、最も下方に位置する係止凹孔８３ａおよび最も上方に位置する係止凹孔８３ｉの上記境界部側に、それぞれＣ字形状の下端係止部８４および上端係止部８５を形成して、後述する係止突起９５が上記境界部に到達しないようにしている。
【００３７】
図５に示すように、つまみ９は、支軸５と同軸を有する大径円筒部９２および小径円筒部９３と、これら円筒部９２，９３の下端の間を閉塞してかつその下面における周方向に９分割したそれぞれの位置に１〜９の番号を刻字した目盛り盤９４と、目盛り盤９４の上面に形成した上方に突出する１つの係止突起９５とから主に構成される。
【００３８】
そして、図３に示すように、つまみ受部８の貫通孔８１とつまみ９の小径円筒部９３の外側面とが対向し、つまみ受部８の外側面とつまみ９の大径円筒部９２の内側面とが対向し、つまみ受部８の常螺旋面８２における中心径上とつまみ９の係止突起９５の先端とが対向するよう、大径円筒部９２と小径円筒部９３と目盛り盤９４の上面とに囲まれた部分につまみ受部８が内設される。
【００３９】
すなわち、つまみ９は、つまみ受部８に対して軸周りに回転自在かつ軸方向に上下移動可能であり、また、上述したとおり、つまみ受部８およびつまみ９は、鍔部５１と下板３とに圧接されることよって互いに圧着するので、つまみ９を回動させると、係止突起９５がつまみ受部８の常螺旋面８２上におけるつまみ受部８の中心径上を摺動し、つまみ受部８に対してつまみ９および支軸５が相対的に上下動する。
【００４０】
そして、つまみ９の係止突起９５の先端が、常螺旋面８２におけるつまみ受部８の中心径上に形成した係止凹孔８３ａ〜８３ｉのいずれかに到達すると、係止凹孔８３ａ〜８３ｉ内にかみ込みんで、つまみ９がつまみ受部８に対して係止される。
【００４１】
さらに、つまみ９を回動させると、係止突起９５の先端が係止凹孔８３ａ〜８３ｉから外れ、常螺旋面８３上を摺動し、続いて隣設する係止凹孔８３ａ〜８３ｉにかみ込んで、再びつまみ９がつまみ受部８に対して係止される。
【００４２】
この際、係止突起９５が係止凹孔８３ａ〜８３ｉから容易に外れるよう、係止突起９５の直径は、係止凹孔８３ａ〜８３ｉの孔径より大きく、かつ係止突起９５の先端を丸く形成している。
【００４３】
なお、本実施形態においては、係止凹孔８３ｉ、８３ｈ、・・・、８３ｂ、８３ａのそれぞれが係止突起９５にかみ込む際に、目盛り盤の「１」、「２」、・・・、「８」、「９」のそれぞれが字突き４１（図１（ｃ）参照）を指し示すよう、係止突起９５、常螺旋面８２および係止凹孔８３ａ〜８３ｉが形成されるものとしている。
【００４４】
そして、つまみ９とつまみ受部８との相対距離は、係止突起９５が係止凹孔８３ｉにある「１」の時に最も小さく、係止突起９５が係止凹孔８３ａにある「９」時に最も大きくなる。
【００４５】
上板２は常時上方に付勢され、つまみ９および支軸５に追従して、つまみ受部８および下板３に対して上下動するので、操作ハンドル６を押圧していない状態における上刃２１および下刃３１の初期刃間距離は、係止突起９５が係止凹孔８３ｉにある「１」の時に最も大きく、係止突起９５が係止凹孔８３ａにある「９」時に最も小さくなる。
【００４６】
なお、本実施形態においては、係止突起９２に対向する螺旋面を常螺旋面９１としているが、傾斜角に変化を持たせるようにして、例えば、刃間距離の変位を、目盛り盤「１」〜「６」の間は各０．２５ｍｍ間隔、「６」〜「９」の間は各０．６ｍｍ間隔にすること等も可能である。
【産業上の利用可能性】
【００４７】
本発明は、様々な使用者や使用状況においても安定した安全性を確保し、さらに使用者や使用部位による適当な目盛り位置を記録しておくことによって、繰り返し使用する際に煩雑な微調整を必要とせず、快適かつ迅速に使用することができるので、自分自身の手および足の指の爪のみならず、乳幼児や被介護者等の他者の爪を切る際等、複数人に対してにも有用に利用することが可能である。
【符号の説明】
【００４８】
１    刃間調節爪切り具
２    上板
３１  上刃
３    下板
３１  下刃
４    持ち手カバー
４１  字突き
５    支軸
５１  鍔部
６    操作ハンドル
６１  支点用凸部
７    ピン
８    つまみ受部
８１  貫通孔
８２  常螺旋面
８３ａ〜８３ｉ  係止凹孔
８４  下端係止部
８５  上端係止部
９    つまみ
９１  貫通孔
９２  大径円筒部
９３  小径円筒部
９４  目盛り盤
９５  係止突起
【図１】
2019068979.tif 000003
【図２】
2019068979.tif 000004
【図３】
2019068979.tif 000005
【図４】
2019068979.tif 000006
【図５】
2019068979.tif 000007
【手続補正書】
【提出日】平成30年8月2日(2018.8.2)
【手続補正１】
【補正対象書類名】特許請求の範囲
【補正対象項目名】全文
【補正方法】変更
【補正の内容】
【特許請求の範囲】
【請求項１】
後端部がそれぞれ接合され、先端部が開放方向に付勢される上板および下板と、
前記上板の先端部に形成された上刃と、
前記下板の先端部に形成され、前記上刃との間で爪を切断する下刃と、
前記上板および前記下板の前端部側に設けた開口部を貫通する支軸と、
前記支軸に回動可能に支持されたつまみと、
前記つまみと前記下板との間に設けられ、前記つまみが回動されることで前記つまみとの相対距離が変化して、前記上刃と前記下刃との間の初期歯間距離が調節されるつまみ軸受と、
を備え、
前記つまみ軸受は、前記つまみと対向していると共に該つまみの回転周方向へ沿って螺旋状とされた螺旋面を有し、
前記螺旋面には、前記つまみの回転周方向に間隔をあけて配置された複数の凹孔が形成され、
前記つまみは、前記螺旋面側へ向けて突出すると共に前記凹孔に嵌まり込む突起を有し、前記つまみが回動されることで、一の前記凹孔から抜け出した後に前記螺旋面上を摺動して他の前記凹孔に嵌まり込むことで、前記初期歯間距離が調節される刃間調節爪切り具。
【請求項２】
前記突起において前記凹孔に嵌まり込む部分、及び前記凹孔において前記突起が嵌まり込む部分は、互いに球面状に形成され、
前記突起において球面状に形成された部分の外径が、前記凹孔において前記球面状に形成された部分の内径よりも大きな外径に設定されている請求項１記載の刃間調節爪切り具。
【請求項３】
前記突起が複数の前記凹孔のうちどの前記凹孔に嵌まり込んでいるかを示す表示が、前記つまみに設けられている請求項１又は請求項２記載の刃間調節爪切り具。